(57)【要約】本発明は、広告と連係した提携サイト無認証接続管理システムに関するもので、提携サイト無認証時限接続のための認証番号を格納する認証番号データベースと、ユーザコンピュータへ認証番号の入力のための画面インターフェースを提供し、ユーザコンピュータから入力された提携サイト無認証時限接続のための認証番号を受信する認証番号受信部と、前記認証番号データベースを検索し、前記認証番号受信部により受信された認証番号と同一の認証番号が存在するかを検索して認証処理する認証処理部と、前記認証処理部によって認証された場合、該当ユーザコンピュータへ広告情報を伝送して強制実行する広告処理部と、前記広告処理部からの広告終了情報に基づいて前記ユーザコンピュータの提携サイトへの無認証時限接続を処理する接続処理部を含んでなる。
2006509299.tif 000002
【特許請求の範囲】
【請求項１】
名刺を含むオフラインカードに印刷された認証番号を用いた広告システムにおいて、
提携サイト無認証時限接続のための認証番号を格納する認証番号データベースと、
ユーザコンピュータへ認証番号の入力のための画面インターフェースを提供し、ユーザコンピュータから入力された提携サイト無認証時限接続のための認証番号を受信する認証番号受信部と、
前記認証番号データベースを検索し、前記認証番号受信部により受信された認証番号と同一の認証番号が存在するかを検索して認証処理する認証処理部と、
前記認証処理部によって認証された場合、該当ユーザコンピュータへ広告情報を伝送して強制実行する広告処理部と、
前記広告処理部からの広告終了情報に基づいて前記ユーザコンピュータの前記提携サイトへの無認証時限接続を処理する接続処理部と
を含むことを特徴とする、広告と連係した提携サイト無認証接続管理システム。
【請求項２】
前記広告処理部が、ユーザコンピュータへ広告情報を伝送し、強制実行の際に、認証番号に連係された広告情報を伝送することを特徴とする、請求項１に記載の広告と連係した提携サイト無認証接続管理システム。
【請求項３】
前記接続処理部が、無認証時限接続を処理するとき、該当提携サイトから提供するＩＤおよびパスワードの入力を要しないバックドアサイトにユーザコンピュータの接続を誘導して接続処理することを特徴とする、請求項１または２に記載の広告と連係した提携サイト無認証接続管理システム。
【請求項４】
前記接続処理部が、無認証時限接続を処理するとき、該当ユーザコンピュータのＩＰアドレスを含んだ無認証時限接続要請情報を該当提携サイトに伝送し、該当提携サイトが前記ＩＰアドレスを持ったユーザコンピュータの接続を許容するように処理することを特徴とする、請求項１または２に記載の広告と連係した提携サイト無認証接続管理システム。
【請求項５】
前記広告と連係した提携サイト無認証接続管理システムが、
多数の提携サイトリンク情報を持った提携会社のサイト選択画面インターフェースをユーザコンピュータへ提供し、ユーザコンピュータから提携サイト選択情報を受信する提携サイト目録提示部をさらに含むことを特徴とする、請求項１または２に記載の広告と連係した提携サイト無認証接続管理システム。
【請求項６】
前記広告と連係した提携サイト無認証接続管理システムが、
ユーザコンピュータへ成人認証のための画面インターフェースを提供し、ユーザコンピュータから入力された名前および住民登録番号を含んだ個人情報を受信し、信用情報業の許可を受けた信用評価会社の評価サーバに、該当個人情報を持ったユーザの実名確認を要請し、それに対する結果を受信して成人認証する成人認証処理部をさらに含むことを特徴とする、請求項１または２に記載の広告と連係した提携サイト無認証接続管理システム。
【請求項７】
前記広告と連係した提携サイト無認証接続管理システムが、
ユーザコンピュータから提携サイト無認証時限接続のための認証番号を含んだ充填要請情報を受信し、前記認証番号データベースを検索し、前記充填要請情報に含まれた認証番号と同一の認証番号が存在するかを検索して認証処理し、認証された認証番号を充填して再使用可能に処理する充填処理部をさらに含むことを特徴とする、請求項１または２に記載の広告と連係した提携サイト無認証接続管理システム。
【請求項８】
前記広告と連係した提携サイト無認証接続管理システムが、
ユーザコンピュータへ前記認証番号の充填に対する決済を要請する画面インターフェースを提供し、ユーザコンピュータから入力された決済情報に基づいて金融会社のサーバに決済処理を要請する決済処理部をさらに含むことを特徴とする、請求項７に記載の広告と連係した提携サイト無認証接続管理システム。
【発明の詳細な説明】
【技術分野】
【０００１】
本発明は、広告と連係した提携サイト無認証接続管理システムに係り、より詳しくは、ユーザが名刺などのオフラインカードに印刷された認証番号を利用する広告技術に関するものである。
【背景技術】
【０００２】
現在までオン／オフラインを介して数多くの広告技術が用いられてきた。オフライン上の代表的な紙面を用いた新聞広告およびオンラインを介して行われるインターネットバナー広告は、現代社会で我々が最もよく接する広告技法である。
ところが、このような従来の大量配布方式を介してのオフライン広告や有名サイトを介してのバナー広告の広告効果は、広告に投与される莫大な広告費に比べて実際微々たるものである。
【０００３】
そこで、本発明者は、半強制的広告技法を用いて、ユーザが広告を視聴する対価として、認証が必要なサイトに無認証接続を行うことが可能な、広告と連係した提携サイト無認証接続管理システムに関する研究を行うことになった。
【発明の開示】
【発明が解決しようとする課題】
【０００４】
本発明は、上述した趣旨の下に発明されたもので、その目的とするところは、半強制的広告技法を用いて、ユーザが広告を視聴する対価として、認証が必要な提携サイトに無認証接続を行うことを可能とした、広告と連結した提携サイト無認証接続管理システムを提供することにある。
本発明の他の目的は、提携サイトに関連したあつらえの広告をユーザが半強制的に視聴するようにした、広告と連係した提携サイト無認証接続管理システムを提供することにある。
【課題を解決するための手段】
【０００５】
上記目的を達成するための本発明の一態様によれば、本発明に係る広告と連係した提携サイト無認証接続管理システムは、提携サイト無認証時限接続のための認証番号を格納する認証番号データベースと、ユーザコンピュータへ認証番号の入力のための画面インターフェースを提供し、ユーザコンピュータから入力された提携サイト無認証時限接続のための認証番号を受信する認証番号受信部と、前記認証番号データベースを検索し、前記認証番号受信部により受信された認証番号と同一の認証番号が存在するかを検索して認証処理する認証処理部と、前記認証処理部によって認証された場合、所定の時間該当ユーザコンピュータへ広告情報を伝送して強制実行する広告処理部と、前記広告処理部からの広告終了情報に基づいて前記提携サイトへの無認証時限接続を処理する接続処理部を含むことを特徴とする。
【０００６】
本発明の付加的な態様によれば、本発明に係る広告と連係した提携サイト無認証接続管理システムは、前記広告処理部が、ユーザコンピュータへ広告情報を伝送し、強制実行する際に、認証番号に連係された広告情報を伝送することを特徴とする。
本発明の付加的な様相によれば、本発明に係る広告と連係した提携サイト無認証接続管理システムは、前記接続処理部が、前記提携サイトへの無認証時限接続を処理する際に、該当提携サイトから提供するＩＤおよびパスワードの入力を要しないバックドア(Back Door)サイトにユーザコンピュータの接続を誘導して接続処理することを特徴とする。
【０００７】
本発明の付加的な態様によれば、本発明に係る広告と連係した提携サイト無認証接続管理システムは、前記接続処理部が、前記提携サイトへの無認証時限接続を処理する際に、該当ユーザコンピュータのＩＰアドレスを含んだ無認証時限接続要請情報を該当提携サイトに伝送し、該当提携サイトが前記ＩＰアドレスを持ったユーザコンピュータの接続を許容するように処理することを特徴とする。
【発明を実施するための最良の形態】
【０００８】
以下、添付図面を参照して記述される好適な実施形態によって、本発明を当業者が容易に理解、再現し得るように詳細に説明する。
図１は、本発明が適用されるネットワーク構成の概要図である。図１に示すように、ソフトウェアの形で設置されて実行される、本発明に係る広告と連係した提携サイト無認証接続管理システムを含む接続管理サーバ１００と、前記接続管理サーバ１００の制御によってユーザコンピュータが無認証接続される遠隔サーバの形で存在する提携サイト２００と、前記接続管理サーバ１００によって制御され、前記提携サイト２００に無認証接続するユーザコンピュータ３００と、前記ユーザコンピュータ３００から入力されて接続管理サーバ１００に伝送された成人認証要請情報に基づいて成人認証を処理する信用評価会社の評価サーバ４００と、ユーザコンピュータ３００からの認証番号の充填に対する決済情報に基づいて決済を処理する金融会社のサーバ５００とを含んでいる。
【０００９】
図２は、本発明に係る広告と連係した提携サイト無認証接続管理システムの一実施形態の構成を示すブロック図である。
図２に示すように、本発明の実施形態に係る広告と連係した提携サイト無認証接続管理システムは、認証番号データベース１１０と、認証番号受信部１２０と、認証処理部１３０と、広告処理部１４０と、接続処理部１５０と、提携サイト目録提示部１６０と、成人認証処理部１７０と、充填処理部１８０と、決済処理部１９０とを含む。
前記認証番号データベース１１０は、提携サイト無認証時限接続のための認証番号を格納する。
【００１０】
本発明に係る広告と連係した提携サイト無認証接続管理システムは、提携サイト無認証時限接続のための認証番号が記載されたカードを発給し、発給されたカードの認証番号を前記認証番号データベース１１０に格納する。
前記提携サイト無認証時限接続のための認証番号が記載されたカードは、各種の個人または企業体の名刺や広告チラシなどオフラインを介してユーザに配布されるオフラインカードであってもよく、インターネットを介してユーザコンピュータへ伝送されるオンライン電子カードであってもよい。
【００１１】
前記認証番号受信部１２０は、ユーザコンピュータ３００へ認証番号入力のための画面インターフェースを提供し、ユーザコンピュータ３００から入力された提携サイト無認証時限接続のための認証番号を受信する。
【００１２】
オン／オフライン上で認証番号記載のカードを獲得したユーザは、自分のユーザコンピュータ３００を用いて、この実施形態に係る広告と連係した提携サイト無認証接続管理システムが実行される接続管理サーバ１００にネットワーク接続する。この際、ユーザは、前記接続管理サーバ１００に個人的事項を含んだ情報を入力して会員として登録することが好ましい。
【００１３】
すると、この実施形態に係る広告と連係した提携サイト無認証接続管理システムは、ユーザコンピュータ３００へ認証番号入力のための画面インターフェースを提供し、ユーザが自分のユーザコンピュータ３００を介して獲得したカードに記載された、提携サイト無認証時限接続のための認証番号を入力すると、これを前記認証番号受信部１２０で受信する。
前記認証処理部１３０は、前記認証番号データベース１１０を検索し、前記認証番号受信部１２０により受信された認証番号と同一の認証番号が存在するかを検索して認証処理する。
【００１４】
すなわち、発行カードの認証番号を前記認証番号データベース１１０が格納しているので、前記認証処理部１３０は、前記認証番号受信部１２０により受信された認証番号と同一の認証番号が前記認証番号データベース１１０に格納されているか否かを検索し、存在すれば認証確認する。このデータベースを検索して認証処理する技術は、この出願以前に既に様々に公知されて施行される周知の技術なので、これについての詳細な説明は省略する。
【００１５】
前記広告処理部１４０は、前記認証処理部１３０によって認証された場合、該当ユーザコンピュータ３００へ広告情報を伝送して強制実行する。
すなわち、この広告処理部１４０は、前記認証処理部１３０によって認証された場合、広告データベースに格納された広告情報を該当ユーザコンピュータ３００へ伝送し、該当ユーザコンピュータ３００のＷｅｂブラウザを介して強制的に実行されるようにする。この際、前記広告処理部１４０は、該当ユーザコンピュータ３００を介して行われるキー入力などの全てのイベント実行を中止させるように制御し、ユーザによる強制的な広告実行終了を防止することが好ましい。
【００１６】
一方、前記広告処理部１４０は、ユーザコンピュータ３００へ広告情報を伝送し、強制実行の際に、認証番号に連係された広告情報を伝送するようにすることができる。
すなわち、オン／オフライン上のカードに記載の認証番号に特定の広告、例えば該当カードを発行要請した会社の広告を強制実行するように、認証番号データベース１１０が格納された認証番号それぞれに連係される広告情報をさらに含んで格納すると、前記広告処理部１４０は、ユーザコンピュータ３００を介して広告を強制実行する際、該当認証番号に連係された広告を実行する。
【００１７】
前記接続処理部１５０は、前記広告処理部１４０からの広告終了情報に基づいて前記ユーザコンピュータ３００の提携サイト２００への無認証時限接続を処理する。
この接続処理部１５０は、ユーザが強制的に実行される広告を視聴した対価として、前記広告処理部１４０から広告終了情報を検出して提携サイト２００に前記ユーザコンピュータ３００を無認証かつ時限付で接続させる。
【００１８】
例えば、ユーザは、ナイトクラブのウエータから認証番号記載の名刺を渡され、家に帰って自分のユーザコンピュータを介してインターネット接続し、本発明に係る広告と連係した提携サイト無認証接続管理システムが実行されるサイトに接続して前記名刺に記載の認証番号を入力すると、ユーザコンピュータを介して所定の、例えば該当ナイトクラブに対する広告を強制的に視聴することになる。この広告が終了すると、ユーザは、別途の認証なしで成人サイトに所定の時間時限接続して成人コンテンツを楽しむことができる。もし前記成人サイトが、本発明に係る広告と連係した提携サイト無認証接続管理システムを介しない場合には個人情報を入力して会員として加入し、所定の使用料を周期的に支払わなければならない有料サイトであれば、ユーザの立場からみては本発明に係る広告と連係した提携サイト無認証接続管理システムを用いて、会員加入なしでも所定の時間時限付で様々な有料サイトを別途の認証手続きなしに無料で利用することができるという有用さをもつ。
この際、前記接続処理部１５０は、無認証時限接続を処理する際、該当提携サイト２００から提供するＩＤおよびパスワードの入力を必要としないバックドアサイトに、ユーザコンピュータ３００の接続を誘導して接続処理することができる。
【００１９】
また、前記接続処理部１５０は、無認証時限接続を処理する際、該当ユーザコンピュータ３００のＩＰアドレスを含んだ無認証時限接続要請情報を該当提携サイト２００に伝送し、該当提携サイト２００が前記ＩＰアドレスを持ったユーザコンピュータ３００の接続を許容するように処理することもできる。
前記サイト接続誘導に関連した技術はこの出願以前に様々に公知されて施行される周知の技術なので、これについての詳細な説明は省略する。
前記提携サイト目録提示部１６０は、多数の提携サイトリンク情報をもった提携会社のサイト選択画面インターフェースをユーザコンピュータ３００へ提供し、ユーザコンピュータ３００から提携サイト選択情報を受信する。
【００２０】
すなわち、前記広告処理部１４０によって広告処理する前に、多数の提携サイトが、バナーバーの形式で一つの画面に実現された画面をユーザコンピュータ３００へ前記提携サイト目録提示部１６０を介して提示し、ユーザ提携サイトのバナーバーをクリックする場合、前記広告処理部１４０が該当提携サイトのバナーバーに指定された広告情報をユーザコンピュータ３００へ伝送して強制的に広告を実行するようにして、ユーザが視聴しようとする広告を選択することができるようにする。
【００２１】
前記成人認証処理部１７０は、ユーザコンピュータ３００へ成人認証のための画面インターフェースを提供し、ユーザコンピュータ３００から入力された名前および住民登録番号を含んだ個人情報を受信し、信用情報業の許可を受けた信用評価会社の評価サーバ４００に、該当個人情報を持ったユーザの実名確認を要請し、それに対する結果を受信して成人認証をする。
【００２２】
もし強制実行される広告や無認証接続されるサイトが未成年者の利用が不可能なものであれば、前記成人認証処理部１７０を介してユーザコンピュータ３００へ成人認証のための画面インターフェース、例えば名前および住民登録番号の入力を受ける画面を提示し、ユーザコンピュータ３００から入力されたユーザの名前および住民登録番号を含んだ個人情報を受信し、信用情報業の許可を受けた信用評価会社の評価サーバ４００に、該当個人情報を持ったユーザの実名確認を要請し、それに対する結果を受信して成人認証を行うことにより、未成年者の成人広告視聴または成人サイトへの無認証接続を制限することができる。
【００２３】
前記充填処理部１８０は、ユーザコンピュータ３００から提携サイト無認証時限接続のための認証番号を含む充填要請情報を受信し、前記充填要請情報に含まれた認証番号と同一の認証番号が前記認証番号データベース１１０に存在するかを検索して認証処理し、認証された認証番号を充填して再使用可能に処理する。
【００２４】
前記提携サイト無認証時限接続のための認証番号が記載されたカードの認証番号は、提携サイトに所定の時間無認証で接続することが可能なコードである。この設定時間が経過すると、該当提携サイトに前記認証番号を用いてそれ以上無認証で接続することができなくなる。したがって、本発明に係る広告と連係した提携サイト無認証接続管理システムは、ユーザコンピュータ３００の要請に応えて、ユーザコンピュータ３００へ認証番号充填のための画面インターフェースを提供し、前記充填処理部１８０を介して該当ユーザコンピュータ３００から提携サイト無認証時限接続のための認証番号を含んだ充填要請情報を受信し、前記充填要請情報に含まれた認証番号と同一の認証番号が前記認証番号データベース１１０に存在するかを検索して認証処理し、認証された認証番号を充填して該当提携サイト無認証接続サービスを引き続き利用するようにすることができる。
【００２５】
前記決済処理部１９０は、前記認証番号の充填に対する決済を要請する画面インターフェースをユーザコンピュータ３００に提供し、ユーザコンピュータ３００から入力された決済情報に基づいて金融会社のサーバ５００に決済処理を要請する。
前記充填処理部１８０を介して認証番号の充填を無償で行うこともできるが、クレジットカード決済や携帯電話決済などの決済モジュールと連係して有償で認証番号充填サービスを提供することもできる。このような認証番号有償充填は、前記決済処理部１９０を介して該当ユーザコンピュータ３００へ前記認証番号の充填に対する決済を要請する画面インターフェースを提供し、ユーザコンピュータ３００から入力された決済情報に基づいて金融会社のサーバ５００に決済処理を要請することにより行われる。前記クレジットカード決済や携帯電話決済などの決済モジュールに関連した技術は、この出願以前に既に様々に公知されて施行される周知の技術なので、これについての詳細な説明は省略する。
【００２６】
一方、本発明に係る広告と連係した提携サイト無認証接続管理システムは、多数の提携サイトと提携して一つの認証番号で全ての提携サイトを無認証かつ時限付で接続することができるようにすることを包括する。
したがって、前記のようにすることにより、本発明に係る広告と連係した提携サイト無認証接続管理システムは、半強制的広告技法を用いて、ユーザが広告を視聴する対価として、認証が必要なサイトへの無認証接続を可能とするうえ、提携サイトに関連したあつらえの広告をユーザが半強制的に視聴するようにする。
【００２７】
図３は図２に示した実施形態に係る広告と連係した提携サイト無認証接続管理システムの動作を示す流れ図である。
以下に図３を参照しながら、前述の構成を有する実施形態の動作効果について説明する。
まず、段階Ｓ１１０において、認証番号記載のカードを獲得したユーザのユーザコンピュータ３００から認証番号受信部１２０によって認証番号を受信する。
【００２８】
段階Ｓ１２０において、認証処理部１３０を介して、前記認証番号受信部１２０により受信された認証番号と同一の認証番号が認証番号データベース１１０内に存在するかを検索して認証処理する。
段階Ｓ１３０において、前記認証処理部１３０により認証された場合、広告処理部１４０を介して該当ユーザコンピュータ３００へ広告情報を伝送して強制実行するが、認証番号に連係された広告情報を伝送するようにして、提携サイトに関連したあつらえの広告をユーザが半強制的に視聴するようにする。
【００２９】
段階Ｓ１４０において、前記広告処理部１４０からの広告終了情報に基づいて前記接続処理部１５０を介して前記ユーザコンピュータ３００を提携サイト２００に無認証かつ時限付で接続させる。
一方、段階Ｓ１２０と段階Ｓ１３０との間に、提携サイト目録提示部１６０を介してユーザコンピュータ３００へ多数の提携サイトリング情報を持った提携会社サイト選択画面インターフェースを提供し、ユーザコンピュータ３００から提携サイト選択情報を受信する段階Ｓ１２５をさらに含むことにより、ユーザが視聴しようとする提携サイトの広告が選択できるようにすることも可能である。
【００３０】
また、前記段階Ｓ１１０の前に、成人認証処理部１７０を介して、前記ユーザコンピュータ３００から入力された名前および住民登録番号を含んだ個人情報を受信し、信用情報業の許可を受けた信用評価会社の評価サーバ４００へ該当個人情報を持ったユーザの実名確認を要請し、それに対する結果を受信して成人認証する段階Ｓ１０５をさらに含むことにより、未成年者の成人広告視聴または成人サイトへの無認証接続を制限することもできる。
また、前記段階Ｓ１４０の後、充填処理部１８０を介してユーザコンピュータ３００から提携サイト無認証時限接続のための認証番号を含んだ充填要請情報を受信し、前記充填要請情報に含まれた認証番号と同一の認証番号が前記認証番号データベース１１０内に存在するかを検索して認証処理し、認証された認証番号を充填させる段階Ｓ１５０をさらに含むことにより、認証番号の再使用を可能とすることもできる。
【００３１】
前記段階Ｓ１５０は、決済処理部１９０を介してユーザコンピュータ３００へ前記認証番号の充填に対する決済を要請する画面インターフェースを提供し、ユーザコンピュータ３００から入力された決済情報に基づいて金融会社のサーバ５００に決済処理を要請する決済動作をさらに含むことにより、有償で認証番号充填サービスを提供することもできる。
したがって、前述のようにすることにより、上に提示した本発明に係る広告と連係した提携サイト無認証接続管理システムの目的を達成することができる。
【産業上の利用可能性】
【００３２】
以上述べたように、本発明に係る広告と連係した提携サイト無認証接続管理システムは、半強制的広告技法を用いて、提携サイトに関連したあつらえの広告をユーザが強制的に視聴するようにし、ユーザが強制的に広告を視聴する対価として、認証が必要な少なくとも１以上の提携サイトに無認証で接続できるようにして、ユーザが別途の会員加入なしに所定の時間時限付で様々な有料の提携サイトを別途の認証手続きを経ることなく無料で利用することができるという有用な効果をもつ。
【００３３】
本発明は、添付図面を参照して好適な実施形態を中心として述べられたが、当業者であれば、このような記載から後述の特許請求の範囲によって包括される本発明の範疇を逸脱することなく、様々な変形が可能であることは明白である。
【図面の簡単な説明】
【００３４】
【図１】本発明が適用されるネットワーク構成の概要図である。
【図２】本発明に係る広告と連係した提携サイト無認証接続管理システムの一実施形態の構成を示すブロック図である。
【図３】図１に示した実施形態に係る広告と連係した提携サイト無認証接続管理システムの動作を示す流れ図である。
【符号の説明】
【００３５】
１００…接続管理サーバ
１１０…認証番号データベース
１２０…認証番号受信部
１３０…認証処理部
１４０…広告処理部
１５０…接続処理部
１６０…提携サイト目録提示部
１７０…成人認証処理部
１８０…充填処理部
１９０…決済処理部
２００…提携サイト
３００…ユーザコンピュータ
４００…信用評価会社の評価サーバ
５００…金融者のサーバ
【図１】
2006509299.tif 000003
【図２】
2006509299.tif 000004
【図３】
2006509299.tif 000005
【国際調査報告】
2006509299.tif 000006